(57)【要約】【課題】一人の作業者でも部材の取り付け作業の安定した実施を可能とする。【解決手段】部材仮受用治具１０は、建物１を構成する梁２に天井パネル６を取り付ける際に用いられる。部材仮受用治具１０は、第１部材２０と、第１部材２０に対して回動可能に取り付けられた第２部材３０と、を備え、第１部材２０及び第２部材３０は、梁２に係合する係合部２１ｂ，２１ｃ，２１ｄを備え、係合部３１ｂ，３１ｃ，３１ｄが梁２に係合した状態で、梁２と対向する位置に天井パネル６を保持する部材保持部Ｓ１を備える。【選択図】図３Ａ
2019116742.tif 000002
【特許請求の範囲】
【請求項１】
建物を構成する躯体に枠部材を取り付ける際に用いられる部材仮受用治具であって、
第１部材と、
前記第１部材に対して回動可能に取り付けられた第２部材と、を備え、
前記第１部材及び前記第２部材は、前記躯体に係合する係合部を備え、
前記係合部が前記躯体に係合した状態で、前記躯体と対向する位置に前記枠部材を保持する保持部を備えることを特徴とする部材仮受用治具。
【請求項２】
前記第１部材及び前記第２部材を互いに回動可能に接続するヒンジ部を備え、
前記ヒンジ部のヒンジ軸において、前記第２部材を前記第１部材に対して回動させることで、前記保持部が開閉されることを特徴とする請求項１に記載の部材仮受用治具。
【請求項３】
前記第２部材の前記係合部は、それぞれ平行に配される複数の延出部と、
前記複数の延出部の端部を連結する連結部と、を有し、
前記連結部は、前記複数の延出部に対して垂直に配置され、
前記ヒンジ部は、前記連結部の端部に設けられ、
前記ヒンジ軸は、前記複数の延出部及び前記連結部に対して垂直に配置されていることを特徴とする請求項２に記載の部材仮受用治具。
【請求項４】
前記第１部材及び前記第２部材の前記係合部は、それぞれ平行に配される複数の延出部を有し、
前記複数の延出部の端部は、前記ヒンジ部に対向する側において丸められていることを特徴とする請求項３に記載の部材仮受用治具。
【請求項５】
前記第１部材及び前記第２部材が互いに回動することをロックするロック機構を備えることを特徴とする請求項１乃至４のいずれか一項に記載の部材仮受用治具。
【請求項６】
前記躯体は、ウェブと、水平に配置されたフランジ部と、を有する金属製の梁であり、
前記第１部材及び前記第２部材は、前記梁の前記ウェブに吸着する磁石を有することを特徴とする請求項１乃至５のいずれか一項に記載の部材仮受用治具。
【請求項７】
前記枠部材は、前記建物の天井に取り付けられる天井パネルであることを特徴とする請求項１乃至６のいずれか一項に記載の部材仮受用治具。
【発明の詳細な説明】
【技術分野】
【０００１】
本発明は、建物における部材の仮受けに用いられる部材仮受用治具に関する。
【背景技術】
【０００２】
戸建住宅や集合住宅等の建物において、天井パネルや壁パネルを容易に取り外し交換することが可能なユニットルーム（特許文献１）や、天井パネルを落とし込みにて組み付ける天井パネル組付け方法及び天井パネル用組付け治具を用いる技術（特許文献２）が知られている。
【０００３】
また、天井の内装下地材として格子状の天井パネルを設けることがあるが、天井パネルは、例えば柱や梁等の躯体に固定された桟木にビスや釘等で連結される。
【先行技術文献】
【特許文献】
【０００４】
【特許文献１】特開２０１４−２１４４４１号公報
【特許文献２】特開２００９−０６８２２５号公報
【発明の概要】
【発明が解決しようとする課題】
【０００５】
しかし、天井パネルを取り付ける位置は高いため、天井パネルを支えながら天井パネルを取り付ける作業は非常に負担が大きかった。特に、作業者が一人である場合には、作業を安定して行うことが極めて困難となっていた。
【０００６】
このように、建物に天井パネル等の部材を取り付ける際の安定した取り付け作業の実施が課題となっている。
【０００７】
本発明は、上記の課題に鑑みてなされたものであって、その目的は、一人の作業者でも部材の取り付け作業の安定した実施が可能となる部材仮受用治具を提供することにある。
【課題を解決するための手段】
【０００８】
前記課題は、本発明の部材仮受用治具によれば、建物を構成する躯体に枠部材を取り付ける際に用いられる部材仮受用治具であって、第１部材と、前記第１部材に対して回動可能に取り付けられた第２部材と、を備え、前記第１部材及び前記第２部材は、前記躯体に係合する係合部を備え、前記係合部が前記躯体に係合した状態で、前記躯体と対向する位置に前記枠部材を保持する保持部を備えることにより解決される。
【０００９】
上記のように構成された本発明の部材仮受用治具によれば、建物に取り付ける天井パネルなどの枠部材を取付位置に仮受けすることが可能となり、作業者は枠部材の取り付け作業に集中できる。これにより、枠部材を保持する作業者を不要とし、一人の作業者でも安定した枠部材の取り付け作業の実施が可能となる。
また、部材仮受用治具を用いることで、枠部材の取付位置に配置する位置決めの精度を向上させることができる。
【００１０】
また、上記の構成において、前記第１部材及び前記第２部材を互いに回動可能に接続するヒンジ部を備え、前記ヒンジ部のヒンジ軸において、前記第２部材を前記第１部材に対して回動させることで、前記保持部が開閉されるとよい。
上記の構成では、第１部材と第２部材を適正に回動させることができる。
【００１１】
また、上記の構成において、前記第２部材の前記係合部は、それぞれ平行に配される複数の延出部と、前記複数の延出部の端部を連結する連結部と、を有し、前記連結部は、前記複数の延出部に対して垂直に配置され、前記ヒンジ部は、前記連結部の端部に設けられ、前記ヒンジ軸は、前記複数の延出部及び前記連結部に対して垂直に配置されているとよい。
上記の構成では、部材仮受用治具（第２部材）を回動させる際に、回動動作が容易となるとともに、部材仮受用治具（第２部材）が梁のフランジなど、躯体と接触してしまうことが防止される。
【００１２】
また、上記の構成において、前記第１部材及び前記第２部材の前記係合部は、それぞれ平行に配される複数の延出部を有し、前記複数の延出部の端部は、前記ヒンジ部に対向する側において丸められているとよい。
上記の構成では、第１部材と第２部材を回動させたときに、各延出部の端部が梁や枠部材と接触しても、各延出部が丸められているため、第１部材と第２部材の回動動作が容易なものとなる。
【００１３】
また、上記の構成において、前記第１部材及び前記第２部材が互いに回動することをロックするロック機構を備えるとよい。
上記の構成では、第１部材と第２部材が互いに回動して、部材仮受用治具が開放して梁や枠部材から離脱して落下してしまうことを防止することができる。
【００１４】
また、上記の構成において、前記躯体は、ウェブと、水平に配置されたフランジ部と、を有する金属製の梁であり、前記第１部材及び前記第２部材は、前記梁の前記ウェブに吸着する磁石を有するとよい。
上記の構成では、金属製の梁に対して、部材仮受用治具を着脱可能に係合させることができるとともに、事前に部材仮受用治具を、脚立や柱、梁などに仮置きできるため、作業の効率が向上する。また、作業終了後には、部材仮受用治具を梁のウェブから容易に取り外すことができる。
【００１５】
また、上記の構成において、前記枠部材は、前記建物の天井に取り付けられる天井パネルであるとよい。
上記の構成では、天井パネルを建物に取り付ける際の作業負荷を軽減できる。
【発明の効果】
【００１６】
本発明に係る部材仮受用治具によれば、一人の作業者でも部材を取り付ける作業の安定した実施が可能となる。
【図面の簡単な説明】
【００１７】
【図１】建物の躯体の構成を模式的に示す図である。
【図２】天井パネルの構成を示す図である。
【図３Ａ】本実施形態に係る部材仮受用治具の正面図（閉鎖状態）である。
【図３Ｂ】本実施形態に係る部材仮受用治具の正面図（開放状態）である。
【図４Ａ】部材仮受用治具を用いて天井パネルを仮受けした状態を示す図である。
【図４Ｂ】部材仮受用治具を用いて天井パネルを仮受けした状態を示す拡大図である。
【図５Ａ】部材仮受用治具を用いて２枚の天井パネルを仮受した状態を示す拡大図である。
【図５Ｂ】図５ＡのＢ−Ｂ断面図において、部材仮受用治具を開放した時の状態を示す断面図である。
【図５Ｃ】図５ＡのＢ−Ｂ断面図である。
【図６Ａ】本実施形態の変形例に係る部材仮受用治具の斜視図である。
【図６Ｂ】本実施形態の変形例に係る部材仮受用治具の斜視図（開放状態）である。
【図６Ｃ】本実施形態の変形例に係る部材仮受用治具の部分拡大図である。
【図６Ｄ】本実施形態の変形例に係る部材仮受用治具の部分拡大図である。
【図７Ａ】本実施形態の変形例に係る部材仮受用治具の斜視図である。
【図７Ｂ】本実施形態の変形例に係る部材仮受用治具に設けられた磁石の拡大図である。
【図７Ｃ】本実施形態の変形例に係る部材仮受用治具に設けられた磁石の拡大図である。
【発明を実施するための形態】
【００１８】
以下、図１乃至図７Ｃに基づき、本発明の一実施形態（以下、本実施形態）に係る部材仮受用治具１０について説明する。
本実施形態に係る部材仮受用治具１０は、戸建住宅等の建物１の天井パネル６等の枠体を取り付ける取り付け作業において、枠体を仮受けするために用いられるものである。
【００１９】
図１には、建設作業中の建物１の構造を部分的に示した。図１に示されるように、建物１は、梁２、柱３等の躯体を備える。なお、図１においては、建物１の構造を簡略化して示しているため、実際の構造とは相違する点が含まれていることがある。
【００２０】
梁２は、例えば金属製の梁（鉄骨梁）であり、上端及び下端部にはフランジ２Ａが形成されている。梁２は、上端と下端のフランジ２Ａの間がウェブ２Ｂで接続された断面略Ｈ形状のＨ形鋼の鉄骨梁であり、フランジ２Ａが地面に対して水平に配置されている。柱３は、例えば金属製の柱（鉄骨柱）であり、梁２とボルト５により連結されている。所定サイズの角材である不図示の桟木が、梁２の下において、天井吊ランナー８により梁２に対して固定されている。天井吊ランナー８は上部のクリップ部がフランジ２Ａに係止されるとともに、天井吊ランナー８の下部がビス等の取付具により桟木と固定されている。
【００２１】
次に、図１に示される建物１の梁２に対して天井パネル６を仮受けする作業について説明する。図２には、天井パネル６の構成例を示した。図２に示されるように、天井パネル６は、外枠部を構成する枠部材６Ａと、枠部材６Ａの間に配される中間部材６Ｂとを、連結部材６Ｃにより連結した格子形状をなす枠体である。本実施形態では、天井パネル６の枠部材６Ａや連結部材６Ｃを梁２に仮受けすることとする。
【００２２】
＜部材仮受用治具１０＞
次に、図３Ａ及び３Ｂを参照しながら、部材仮受用治具１０の構成について説明する。部材仮受用治具１０は、木製、樹脂製、金属製等としてよい。
【００２３】
図３Ａには、閉鎖状態の部材仮受用治具１０の正面図を、図３Ｂには、開放状態の部材仮受用治具１０の正面図を示した。
【００２４】
図３Ａに示されるように、部材仮受用治具１０は、主な構成として第１部材２０と、第２部材３０と、ヒンジ部Ｈを備え、ヒンジ軸Ｈｒにおいて第１部材２０と第２部材３０が回動可能に接続されている。
【００２５】
第１部材２０は、それぞれ平行に配される基部２１ａ、第１延出部２１ｂ、第２延出部２１ｃ及び第３延出部２１ｄと、基部２１ａ、第１延出部２１ｂ、第２延出部２１ｃ及び第３延出部２１ｄの端部を連結する連結部２１ｅを備えている。連結部２１ｅは、基部２１ａ、第１延出部２１ｂ、第２延出部２１ｃ及び第３延出部２１ｄに対して垂直に配置されている。第１延出部２１ｂ、第２延出部２１ｃ及び第３延出部２１ｄは、後述するように、梁２（躯体）のフランジ２Ａと係合する係合部として機能する。
【００２６】
第２部材３０は、それぞれ平行に配される第１延出部３１ｂ、第２延出部３１ｃ、第３延出部３１ｄと、第１延出部３１ｂ、第２延出部３１ｃ及び第３延出部３１ｄの端部を連結する連結部３１ｅを備えている。連結部３１ｅは、第１延出部３１ｂ、第２延出部３１ｃ及び第３延出部３１ｄに対して垂直に配置されている。ここで、連結部３１ｅの基端部を基部３１ａとする。第１延出部３１ｂ、第２延出部３１ｃ、第３延出部３１ｄは、後述ように、梁２（躯体）のフランジ２Ａと係合する係合部として機能する。
【００２７】
以下、部材仮受用治具１０の構成における上下方向は、第３延出部２１ｄや第３延出部３１ｄが上、基部２１ａや基部３１ａが下の状態である場合における上下方向とする。
【００２８】
図３Ａに示されるように、第１部材２０の基部２１ａは、連結部２１ｅの下端に連結し、連結部２１ｅと略直交する方向に向けて延出した部分である。なお、基部２１ａの延出方向は、第１延出部２１ｂ、第２延出部２１ｃ及び第３延出部２１ｄと同じである。また、基部２１ａの先端には、後述するロック部２４が取り付けられている。
【００２９】
図３Ａに示されるように、第１部材２０の第１延出部２１ｂ及び第２延出部２１ｃは、連結部２１ｅの上端と下端の間に連結し、連結部２１ｅと略直交する方向に向けて延出した部分である。
【００３０】
また、図３Ａに示されるように、第１部材２０の第３延出部２１ｄは、連結部２１ｅの上端に連結し、連結部２１ｅと略直交する方向に向けて延出した部分である。第３延出部２１ｄの先端には、磁石２２（永久磁石）が設けられている。なお、磁石２２は中央に穴の開いたリング形状に形成されており、リングの中心にネジが挿入されて、第３延出部２１ｄの先端に固定されている。磁石２２は、梁に部材仮受用治具１０を取り付けたり、取り外したりするのに適した磁力とサイズであればよく、例えば、直径１０〜１２ｍｍ、吸着力３０Ｎ程度のものを用いることができる。
【００３１】
図３Ａに示されるように、第２部材３０の基部３１ａは、連結部３１ｅの下端部分である。また、基部３１ａには、後述するロック部３４が取り付けられている。
【００３２】
図３Ａに示されるように、第２部材３０の第１延出部３１ｂ及び第２延出部３１ｃは、連結部３１ｅの上端と下端の間に連結し、連結部３１ｅと略直交する方向に向けて延出した部分である。
【００３３】
また、図３Ａに示されるように、第２部材３０の第３延出部３１ｄは、連結部３１ｅの上端に連結し、連結部３１ｅと略直交する方向に向けて延出した部分である。第３延出部３１ｄの先端には、磁石３２（永久磁石）が設けられている。なお、磁石３２は中央に穴の開いたリング形状に形成されており、リングの中心にネジが挿入されて、第３延出部３１ｄの先端に固定されている。磁石３２は、磁石２２と同様に、梁に部材仮受用治具１０を取り付けたり、取り外したりするのに適した磁力とサイズであればよく、例えば、直径１０〜１２ｍｍ、吸着力３０Ｎ程度のものを用いることができる。
【００３４】
図３Ａに示すように、第１部材２０の基部２１ａ、連結部２１ｅ、第１延出部２１ｂと、第２部材３０の基部３１ａ、連結部３１ｅ、第１延出部３１ｂで囲まれて、部材保持部Ｓ１が形成されている。なお、部材保持部Ｓ１は、後述するように、梁２のフランジ２Ａを受容するフランジ受容部としての役割も有している。
【００３５】
また、第１部材２０の第１延出部２１ｂ、連結部２１ｅ、第２延出部２１ｃと、第２部材３０の第１延出部３１ｂ、連結部３１ｅ、第２延出部３１ｃで囲まれて、梁２のフランジ２Ａを受容するフランジ受容部Ｓ２が形成されている。
【００３６】
また、第１部材２０の第２延出部２１ｃ、連結部２１ｅ、第３延出部２１ｄと、第２部材３０の第２延出部３１ｃ、連結部３１ｅ、第３延出部３１ｄに囲まれて、梁２のフランジ２Ａを受容するフランジ受容部Ｓ３が形成されている。
【００３７】
図３Ａ及び３Ｂに示されるように、ヒンジ部Ｈが、第１部材２０の基部２１ａの下面と、第２部材３０の基部３１ａ（連結部３１ｅの基端部）の下面に取り付けられており、ヒンジ部Ｈのヒンジ軸Ｈｒにおいて、第１部材２０及び第２部材３０が互いに回動可能な構成となっている。換言すると、ヒンジ部Ｈは、部材仮受用治具１０の部材保持部Ｓ１の側に設けられている。ここで、ヒンジ軸Ｈｒは、部材仮受用治具１０の中心軸に対してずれた位置に配置されている。具体的には、図３Ａに示すように、ヒンジ軸Ｈｒが、第１部材２０の連結部２１ｅよりも第２部材３０の連結部３１ｅに近い位置に配置されている。また、ヒンジ軸Ｈｒは、第１部材２０及び第２部材３０の延出部や連結部に対して垂直となるように配置されている。
【００３８】
図３Ｂに示すように、第１部材２０は、基部２１ａ、連結部２１ｅ及び第１延出部２１ｂに囲まれて形成された第１凹部２０ａと、第１延出部２１ｂ、連結部２１ｅ及び第２延出部２１ｃに囲まれて形成された第２凹部２０ｂと、第２延出部２１ｃ、連結部２１ｅ及び第３延出部２１ｄに囲まれて形成された第３凹部２０ｃを備えている。
【００３９】
また、第２部材３０は、基部３１ａ、連結部３１ｅ及び第１延出部３１ｂに囲まれて形成された第１凹部３０ａと、第１延出部３１ｂ、連結部３１ｅ及び第２延出部３１ｃに囲まれて形成された第２凹部３０ｂと、第２延出部３１ｃ、連結部３１ｅ、第３延出部３１ｄに囲まれて形成された第３凹部３０ｃを備えている。
【００４０】
部材仮受用治具１０は、図３Ａに示す閉鎖状態において、第１部材２０と第２部材３０が互いに回動することをロックするロック機構を備えている。ロック機構は、パッチン錠（スナップ錠）など公知のキャッチロックであり、第１部材２０のロック部２４及び第２部材３０のロック部３４から構成されている。部材仮受用治具１０を図３Ｂに示す開放状態から、図３Ａに示す閉鎖状態にした後、ロック部２４とロック部３４を係合させて、ロックを行う。ロックされた部材仮受用治具１０は、閉鎖状態から開放状態となることが防止されるため、適切に部材を仮受けすることが可能となっている。
【００４１】
＜部材仮受用治具１０を用いた天井パネル６の仮受け＞
次に、図４Ａ乃至図５Ｃを参照しながら、天井パネル６を部材仮受用治具１０により仮受けする作業の工程について説明する。
【００４２】
図４Ａ及び４Ｂに示されるように、部材仮受用治具１０は、天井パネル６の枠部材６Ａ及び梁２のフランジ２Ａを部材保持部Ｓ１に保持をして、天井パネル６を梁２に対して仮受けする。
【００４３】
まず、作業者は、部材仮受用治具１０のロック部２４とロック部３４との間のロックを解除しておき、天井パネル６を梁２に対して所望の位置に配置する。次に、作業者は、枠部材６Ａと梁２の下側のフランジ２Ａを、第１部材２０の第１凹部２０ａに内面側から収容するとともに、第３延出部２１ｄに設けられた磁石２２を金属製の梁２のウェブ２Ｂに係合させ、第１部材２０の位置を固定する。
【００４４】
そして、作業者は、部材仮受用治具１０の第２部材３０をヒンジ軸Ｈｒにおいて回動させて、第３延出部３１ｄに設けられた磁石３２を梁２のウェブ２Ｂに係合させ、第２部材３０の位置を固定する。
【００４５】
最後に、作業者は、ロック部２４とロック部３４とを係合させてロックをして、部材仮受用治具１０が開いてしまうことを防止する。
【００４６】
作業者は、同様の手順で、複数の部材仮受用治具１０を天井パネル６の周囲に配置をする。このようにして、部材仮受用治具１０の部材保持部Ｓ１に天井パネル６及びフランジ２Ａを保持して、天井パネル６の梁２に対する仮受けがなされる。
【００４７】
部材仮受用治具１０は、異なる梁高の梁にも適用可能である。図４Ａ及び図４Ｂに示した例では、天井パネル６及びフランジ２Ａを部材保持部Ｓ１に保持をしたが、梁高が低い梁の場合、その梁高に応じて、梁のフランジをフランジ受容部Ｓ２又は部材仮受用治具１０に受容することが可能である。具体的には、高さが２５０ｍｍの梁の場合に、梁のフランジを部材保持部Ｓ１に受容し、高さが２００ｍｍの梁の場合に、梁のフランジをフランジ受容部Ｓ２に受容し、高さが１５０ｍｍの梁の場合に、梁のフランジをフランジ受容部Ｓ３に受容するように構成すればよい。
【００４８】
次に、梁２に対して仮受けした天井パネル６に隣接する位置に、追加の天井パネル６Ｘをさらに仮受けする作業における部材仮受用治具１０の利用手順について図５Ａ乃至５Ｃを参照して説明する。具体的には、図５Ａに示されるように、部材仮受用治具１０の部材保持部Ｓ１に隣接する２つの天井パネル６を受容する際の作業について説明する。
【００４９】
まず、図４Ａ及び４Ｂに示すように、部材仮受用治具１０が１つの天井パネル６を仮受けした状態において、ロック部２４とロック部３４の間のロックを解除して、第２部材３０を回動させて開放状態にする。
【００５０】
次に、図５Ｂに示すように、既に保持をしていた天井パネル６に隣接する位置に、追加の天井パネル６Ｘを配置する。そして、作業者は、第２部材３０をヒンジ軸Ｈｒにおいて回動させて、第３延出部３１ｄに設けられた磁石３２を梁２のウェブ２Ｂに係合させ、第２部材３０の位置を固定する（図５Ｃ）。最後に、作業者は、ロック部２４とロック部３４とを係合させてロックをする。
【００５１】
このとき、部材仮受用治具１０は第１部材２０と第２部材３０の形状が非対称に形成されているため、具体的には、第１部材２０の基部２１ａが第２部材３０の基部３１ａよりも長く形成されているため、第１部材２０の基部２１ａで天井パネル６と、追加の天井パネル６Ｘの両方を支えることが可能となっている。
【００５２】
また、図５Ｂにおいてヒンジ軸Ｈｒが、梁２のフランジ２Ａの一方の端部（図５Ｂにおける第２部材３０側の端部）に近い位置、具体的には、第２部材３０の連結部３１ｅの端部（連結部３１ｅにおける部材保持部Ｓ１の側の端部）に配置されるように構成されているため、第２部材３０を回動させる際に、回動動作が容易となるとともに、第２部材３０が梁２のフランジ２Ａなどの躯体と接触してしまうことが防止される。
【００５３】
＜部材仮受用治具１０の作用＞
以上説明した部材仮受用治具１０によれば、建物１に取り付ける天井パネル６を部材仮受用治具１０により取付位置に仮受けすることにより、作業者は天井パネル６の取り付け作業に集中できる。これにより、天井パネル６を保持する作業者を不要とし、一人の作業者でも安定した天井パネル６の取り付け作業の実施が可能となる。また、部材仮受用治具１０を用いることで、天井パネル６を取付位置に配置する位置決め精度を向上させることができる。
【００５４】
部材仮受用治具１０によれば、第１部材２０及び第２部材３０をヒンジ部において互いに回動可能に接続しているため、第１部材２０と第２部材３０を適正に回動させることができる。
【００５５】
部材仮受用治具１０によれば、第１部材２０及び第２部材３０が互いに回動することをロックするロック部２４，３４を備えているため、第１部材２０と第２部材３０が互いに回動して、部材仮受用治具１０が開放して梁２や天井パネル６から離脱して落下してしまうことを防止することができる。
【００５６】
部材仮受用治具１０によれば、第１部材２０に設けられた磁石２２や第２部材３０に設けられた磁石３２によって、部材仮受用治具１０を梁２のウェブ２Ｂに着脱可能に係合させることができるとともに、事前に部材仮受用治具１０を、脚立や柱、梁などに仮置きできるため、作業の効率が向上する。また、作業終了後には、部材仮受用治具１０を梁２のウェブ２Ｂから容易に取り外すことができる。
【００５７】
部材仮受用治具１０によれば、第１部材２０が、それぞれ平行に配される基部２１ａ、第１延出部２１ｂ、第２延出部２１ｃ及び第３延出部２１ｄと、それらの端部を連結する連結部２１ｅを備え、第２部材３０が、それぞれ平行に配される第１延出部３１ｂ、第２延出部３１ｃ及び第３延出部３１ｄと、それらの端部を連結する連結部３１ｅを備え、部材保持部Ｓ１と、フランジ受容部Ｓ２と、フランジ受容部Ｓ３が形成されているため、異なる梁高の梁にも適用することが可能となる。また、第１部材２０は基部２１ａを有しており、当該基部２１ａに天井パネルを乗せることが可能となる。
【００５８】
部材仮受用治具１０によれば、天井パネル６を建物１に取り付ける際の作業負荷を軽減できる。
【００５９】
＜変形例＞
本発明は上記の実施形態に限定されるものではない。本実施形態の変形例に係る部材仮受用治具１０Ｘを図６Ａ乃至６Ｄを用いて説明する。部材仮受用治具１０Ｘは、樹脂で形成された第１部材２０Ｘと第２部材３０Ｘとを主構成要素とする。
【００６０】
図６Ａ乃至６Ｄに示すように、第１部材２０Ｘの基部２１Ｘａの正面と裏面には一対のレール部２５Ｘａがそれぞれ設けられており、基部２１Ｘａの先端には一対のロック凸部２４Ｘａ，２４Ｘｂが設けられている。また、第２部材３０Ｘは、基部３１Ｘａの内側に一対のヒンジ突部３５Ｘａ，３５Ｘｂをそれぞれ有し、基部３１Ｘａの基端部には一対のロック凹部３４Ｘａ，３４Ｘｂが設けられている。
【００６１】
第１部材２０Ｘの一対のレール部２５Ｘａに、第２部材３０Ｘの一対のヒンジ突部３５Ｘａ，３５Ｘｂが係合して、第１部材２０Ｘと第２部材３０Ｘが互いに摺動可能かつ、回動可能に接続されている。図６Ｂに示すように、回動軸Ｘｒは円筒形状を有するヒンジ突部３５Ｘａとヒンジ突部３５Ｘｂの中心を結ぶ軸線と一致する。図６Ｃに示すように、第１部材２０Ｘの一対のレール部２５Ｘａの先端にはそれぞれ離脱防止部２６Ｘａが設けられており、第２部材３０Ｘのヒンジ突部３５Ｘａ，３５Ｘｂがレール部２５Ｘａから抜け落ちてしまうことが防止される。
【００６２】
部材仮受用治具１０Ｘのロック機構は、第１部材２０Ｘのロック凸部２４Ｘａ，２４Ｘｂと、第２部材３０Ｘのロック凹部３４Ｘａ，３４Ｘｂによって構成される樹脂嵌合式のロック機構である。具体的には、図６Ｃ及び図６Ｄに示すように、第１部材２０Ｘのロック凸部２４Ｘａを第２部材３０Ｘのロック凹部３４Ｘａに係合させ、第１部材２０Ｘのロック凸部２４Ｘａｂを第２部材３０Ｘのロック凹部３４Ｘａｂに係合させることで、第１部材２０Ｘと第２部材３０Ｘが互いに摺動したり回動したりすることが防止される。
【００６３】
また、図６Ａに示すように、第１部材２０Ｘ及び第２部材３０Ｘの各延出部の下側の端部（換言すると、各延出部の端部におけるヒンジ突部３５Ｘａ，３５Ｘｂ（ヒンジ部）に対向する側）は丸められており、第１部材２０Ｘと第２部材３０Ｘを回動させたときに、各延出部の端部が梁や枠部材と接触しても、第１部材２０Ｘと第２部材３０Ｘの回動動作がスムーズかつ容易なものとなっている。
【００６４】
次に、本実施形態の変形例に係る部材仮受用治具１０Ｙを図７Ａ乃至７Ｃを用いて説明する。部材仮受用治具１０Ｙは、金属で形成された第１部材２０Ｙと第２部材３０Ｙとを主構成要素とする。
【００６５】
第１部材２０Ｙの延出部の端部には磁石２２Ｙが設けられ、第２部材３０Ｙの端部には、磁石３２Ｙが設けられている。そして、互いの側面において、磁石２２Ｙと磁石３２Ｙが吸着するようにＮ極とＳ極が配置されている。
【００６６】
部材仮受用治具１０Ｙの運搬時に、磁石２２Ｙと磁石３２Ｙを係合させる際、磁石２２ＹのＮ極が磁石３２ＹのＳ極と対向し、磁石２２ＹのＳ極が磁石３２ＹのＮ極と対向するように配置されており、磁石同士で引きつけ合うため、容易に磁石２２Ｙと磁石３２Ｙを係合させることができる。
【符号の説明】
【００６７】
１  建物
２  梁
２Ａ  フランジ
２Ｂ  ウェブ
３  柱
５  ボルト
６  天井パネル
６Ａ  枠部材
６Ｂ  中間部材
６Ｃ  連結部材
６Ｘ  天井パネル
８  天井吊ランナー
１０  部材仮受用治具
２０  第１部材
２２  磁石
２４  ロック部（ロック機構）
２０ａ  第１凹部
２０ｂ  第２凹部
２０ｃ  第３凹部
２１ａ  基部
２１ｂ  第１延出部（係合部）
２１ｃ  第２延出部（係合部）
２１ｄ  第３延出部（係合部）
２１ｅ  連結部
３０  第２部材
３２  磁石
３４  ロック部（ロック機構）
３０ａ  第１凹部
３０ｂ  第２凹部
３０ｃ  第３凹部
３１ａ  基部
３１ｂ  第１延出部（係合部）
３１ｃ  第２延出部（係合部）
３１ｄ  第３延出部（係合部）
３１ｅ  連結部
Ｈ  ヒンジ部（連結機構）
Ｈｒ  ヒンジ軸（回動軸）
Ｓ１  部材保持部（保持部）
Ｓ２  フランジ受容部
Ｓ３  フランジ受容部
１０Ｘ  部材仮受用治具
２０Ｘ  第１部材
２１Ｘａ  基部
２４Ｘａ，２４Ｘｂ  ロック凸部
２５Ｘａ  レール部
２６Ｘａ  離脱防止部
３０Ｘ  第２部材
３１Ｘａ  基部
３４Ｘａ，３４Ｘｂ  ロック凹部
３５Ｘａ，３５Ｘｂ  ヒンジ突部（ヒンジ部）
Ｘｒ  回動軸
１０Ｙ  部材仮受用治具
２０Ｙ  第１部材
２２Ｙ  磁石
３０Ｙ  第２部材
３２Ｙ  磁石
【図１】
2019116742.tif 000003
【図２】
2019116742.tif 000004
【図３Ａ】
2019116742.tif 000005
【図３Ｂ】
2019116742.tif 000006
【図４Ａ】
2019116742.tif 000007
【図４Ｂ】
2019116742.tif 000008
【図５Ａ】
2019116742.tif 000009
【図５Ｂ】
2019116742.tif 000010
【図５Ｃ】
2019116742.tif 000011
【図６Ａ】
2019116742.tif 000012
【図６Ｂ】
2019116742.tif 000013
【図６Ｃ】
2019116742.tif 000014
【図６Ｄ】
2019116742.tif 000015
【図７Ａ】
2019116742.tif 000016
【図７Ｂ】
2019116742.tif 000017
【図７Ｃ】
2019116742.tif 000018